【手続補正書】
【提出日】平成19年5月29日(2007.5.29)
【手続補正１】
【補正対象書類名】特許請求の範囲
【補正対象項目名】全文
【補正方法】変更
【補正の内容】
【特許請求の範囲】
【請求項１】
入力された画像データに画像処理を施す画像処理装置であって、
入力された画像データを複数のブロックに分割する分割手段と、
前記分割手段で分割された各ブロックの傾き角度を検出する検出手段と、
前記分割手段で分割されたブロック毎に、前記入力された画像データをベクトルデータに変換する変換手段と、
前記検出手段で検出された各ブロックの傾き角度に基づいて、前記変換手段で変換された各ブロックに対応するベクトルデータを補正する補正手段と
を備えることを特徴とする画像処理装置。
【請求項２】
原稿を読み取る読取手段を更に備え、
前記入力された画像データは、前記読取手段で原稿を読み取ることにより生成される画像データである
ことを特徴とする請求項１に記載の画像処理装置。
【請求項３】
前記補正手段は、前記傾き角度を補正した第１ブロックが他の第２ブロックと重なる場合は、少なくとも前記第１ブロック及び前記第２ブロックのいずれか一方に対応するベクトルデータを補正する
ことを特徴とする請求項１に記載の画像処理装置。
【請求項４】
前記補正手段は、前記第１ブロック及び前記第２ブロックの少なくとも一方のブロックに対応するベクトルデータを拡大または縮小する
ことを特徴とする請求項３に記載の画像処理装置。
【請求項５】
前記補正手段は、前記第１ブロック及び前記第２ブロックの少なくとも一方のブロックに対応するベクトルデータの位置を変更する
ことを特徴とする請求項１に記載の画像処理装置。
【請求項６】
前記検出手段は、前記分割手段で分割されたブロックの内、所定の属性のブロックの傾き角度を検出し、
前記補正手段は、前記検出手段で検出された傾き角度に基づいて、前記所定の属性のブロックに対応するベクトルデータを補正する
ことを特徴とする請求項１に記載の画像処理装置。
【請求項７】
前記検出手段で検出された傾き角度が所定角度以上の場合、前記補正手段による補正の実行を禁止する禁止手段を更に備える
ことを特徴とする請求項１に記載の画像処理装置。
【請求項８】
印刷対象の画像データに画像処理を施し、印刷部へ出力する画像処理装置であって、
前記印刷部内の印刷用紙の搬送路において、搬送方向に対し、搬送される印刷用紙の傾き角度を検出する第１検出手段と、
前記第１検出手段で検出された印刷用紙の傾き角度に基づいて、印刷対象の画像データとなるベクトルデータの傾き角度を補正する補正手段と
前記補正手段で補正されたベクトルデータを用いて、前記印刷部による印刷を実行する実行手段と
を備えることを特徴とする画像処理装置。
【請求項９】
画像データを入力する入力手段と、
前記入力手段で入力された画像データを複数のブロックに分割する分割手段と、
前記分割手段で分割された各ブロックの傾き角度を検出する第２検出手段と、
前記分割手段で分割されたブロック毎に、前記入力手段で入力された画像データをベクトルデータに変換する変換手段とを更に備え、
前記補正手段は、前記第１検出手段で検出された印刷用紙の傾き角度と前記第２検出手段で検出された各ブロックの傾き角度とに基づいて、印刷対象の画像データとなるベクトルデータの傾き角度を補正する
ことを特徴とする請求項８に記載の画像処理装置。
【請求項１０】
入力された画像データに画像処理を施す画像処理装置の制御方法であって、
分割手段が、入力された画像データを複数のブロックに分割する分割工程と、
検出手段が、前記分割工程で分割された各ブロックの傾き角度を検出する検出工程と、
変換手段が、前記分割工程で分割されたブロック毎に、前記入力された画像データをベクトルデータに変換する変換工程と、
補正手段が、前記検出工程で検出された各ブロックの傾き角度に基づいて、前記変換手段で変換された各ブロックに対応するベクトルデータを補正する補正工程と
を備えることを特徴とする画像処理装置の制御方法。
【請求項１１】
印刷対象の画像データに画像処理を施し、印刷部へ出力する画像処理装置の制御方法であって、
第１検出手段が、前記印刷部内の印刷用紙の搬送路において、搬送方向に対し、搬送される印刷用紙の傾き角度を検出する第１検出工程と、
補正手段が、前記第１検出工程で検出された傾き角度に基づいて、印刷対象の画像データとなるベクトルデータの傾き角度を補正する補正工程と、
実行手段が、前記補正工程で補正されたベクトルデータを用いて、前記印刷部による印刷を実行する実行工程と
を備えることを特徴とする画像処理装置の制御方法。
【請求項１２】
コンピュータを、
入力された画像データを複数のブロックに分割する分割手段、
前記分割手段で分割された各ブロックの傾き角度を検出する検出手段、
前記分割手段で分割されたブロック毎に、前記入力された画像データをベクトルデータに変換する変換手段、
前記検出手段で検出された傾き角度に基づいて、前記分割手段で分割されたブロックの傾き角度を、該ブロックに対応するベクトルデータを用いて補正する補正手段、
として機能させるためのプログラム。
【請求項１３】
印刷対象の画像データに画像処理を施し、印刷部で印刷するように制御するためのプログラムであって、
コンピュータを、
前記印刷部内の印刷用紙の搬送路において、搬送方向に対し、搬送される印刷用紙の傾き角度を検出する第１検出手段、
前記第１検出手段で検出された傾き角度に基づいて、印刷対象の画像データとなるベクトルデータの傾き角度を補正する補正手段、
前記補正手段で補正されたベクトルデータを用いて、前記印刷部による印刷を実行させる実行手段、
として機能させるためのプログラム。
【手続補正２】
【補正対象書類名】明細書
【補正対象項目名】００１０
【補正方法】変更
【補正の内容】
【００１０】
上記の目的を達成するための本発明による画像処理装置は以下の構成を備える。即ち、  入力された画像データに画像処理を施す画像処理装置であって、
入力された画像データを複数のブロックに分割する分割手段と、
前記分割手段で分割された各ブロックの傾き角度を検出する検出手段と、
前記分割手段で分割されたブロック毎に、前記入力された画像データをベクトルデータに変換する変換手段と、
前記検出手段で検出された各ブロックの傾き角度に基づいて、前記変換手段で変換された各ブロックに対応するベクトルデータを補正する補正手段と
を備える。
【手続補正３】
【補正対象書類名】明細書
【補正対象項目名】００１１
【補正方法】変更
【補正の内容】
【００１１】
また、好ましくは、原稿を読み取る読取手段を更に備え、
前記入力された画像データは、前記読取手段で原稿を読み取ることにより生成される画像データである。
【手続補正４】
【補正対象書類名】明細書
【補正対象項目名】００１２
【補正方法】変更
【補正の内容】
【００１２】
また、好ましくは、前記補正手段は、前記傾き角度を補正した第１ブロックが他の第２ブロックと重なる場合は、少なくとも前記第１ブロック及び前記第２ブロックのいずれか一方に対応するベクトルデータを補正する。
【手続補正５】
【補正対象書類名】明細書
【補正対象項目名】００１３
【補正方法】変更
【補正の内容】
【００１３】
また、好ましくは、前記補正手段は、前記第１ブロック及び前記第２ブロックの少なくとも一方のブロックに対応するベクトルデータを拡大または縮小する。
【手続補正６】
【補正対象書類名】明細書
【補正対象項目名】００１４
【補正方法】変更
【補正の内容】
【００１４】
また、好ましくは、前記第１ブロック及び前記第２ブロックの少なくとも一方のブロックに対応するベクトルデータの位置を変更する。
【手続補正７】
【補正対象書類名】明細書
【補正対象項目名】００１５
【補正方法】変更
【補正の内容】
【００１５】
また、好ましくは、前記検出手段は、前記分割手段で分割されたブロックの内、所定の属性のブロックの傾き角度を検出し、
前記補正手段は、前記検出手段で検出された傾き角度に基づいて、前記所定の属性のブロックに対応するベクトルデータを補正する。
【手続補正８】
【補正対象書類名】明細書
【補正対象項目名】００１７
【補正方法】変更
【補正の内容】
【００１７】
上記の目的を達成するための本発明による画像処理装置は以下の構成を備える。即ち、  印刷対象の画像データに画像処理を施し、印刷部へ出力する画像処理装置であって、
前記印刷部内の印刷用紙の搬送路において、搬送方向に対し、搬送される印刷用紙の傾き角度を検出する第１検出手段と、
前記第１検出手段で検出された印刷用紙の傾き角度に基づいて、印刷対象の画像データとなるベクトルデータの傾き角度を補正する補正手段と
前記補正手段で補正されたベクトルデータを用いて、前記印刷部による印刷を実行する実行手段と
を備える。
【手続補正９】
【補正対象書類名】明細書
【補正対象項目名】００１８
【補正方法】変更
【補正の内容】
【００１８】
また、好ましくは、画像データを入力する入力手段と、
前記入力手段で入力された画像データを複数のブロックに分割する分割手段と、
前記分割手段で分割された各ブロックの傾き角度を検出する第２検出手段と、
前記分割手段で分割されたブロック毎に、前記入力手段で入力された画像データをベクトルデータに変換する変換手段とを更に備え、
前記補正手段は、前記第１検出手段で検出された印刷用紙の傾き角度と前記第２検出手段で検出された各ブロックの傾き角度とに基づいて、印刷対象の画像データとなるベクトルデータの傾き角度を補正する。
【手続補正１０】
【補正対象書類名】明細書
【補正対象項目名】００１９
【補正方法】変更
【補正の内容】
【００１９】
上記の目的を達成するための本発明による画像処理装置の制御方法は以下の構成を備える。即ち、
入力された画像データに画像処理を施す画像処理装置の制御方法であって、
分割手段が、入力された画像データを複数のブロックに分割する分割工程と、
検出手段が、前記分割工程で分割された各ブロックの傾き角度を検出する検出工程と、
変換手段が、前記分割工程で分割されたブロック毎に、前記入力された画像データをベクトルデータに変換する変換工程と、
補正手段が、前記検出工程で検出された各ブロックの傾き角度に基づいて、前記変換手段で変換された各ブロックに対応するベクトルデータを補正する補正工程と
を備える。
【手続補正１１】
【補正対象書類名】明細書
【補正対象項目名】００２０
【補正方法】変更
【補正の内容】
【００２０】
上記の目的を達成するための本発明による画像処理装置の制御方法は以下の構成を備える。即ち、
印刷対象の画像データに画像処理を施し、印刷部へ出力する画像処理装置の制御方法であって、
第１検出手段が、前記印刷部内の印刷用紙の搬送路において、搬送方向に対し、搬送される印刷用紙の傾き角度を検出する第１検出工程と、
補正手段が、前記第１検出工程で検出された傾き角度に基づいて、印刷対象の画像データとなるベクトルデータの傾き角度を補正する補正工程と、
実行手段が、前記補正工程で補正されたベクトルデータを用いて、前記印刷部による印刷を実行する実行工程と
を備える。
【手続補正１２】
【補正対象書類名】明細書
【補正対象項目名】００２１
【補正方法】変更
【補正の内容】
【００２１】
上記の目的を達成するための本発明によるプログラムは以下の構成を備える。即ち、
コンピュータを、
入力された画像データを複数のブロックに分割する分割手段、
前記分割手段で分割された各ブロックの傾き角度を検出する検出手段、
前記分割手段で分割されたブロック毎に、前記入力された画像データをベクトルデータに変換する変換手段、
前記検出手段で検出された傾き角度に基づいて、前記分割手段で分割されたブロックの傾き角度を、該ブロックに対応するベクトルデータを用いて補正する補正手段、
として機能させる。
【手続補正１３】
【補正対象書類名】明細書
【補正対象項目名】００２２
【補正方法】変更
【補正の内容】
【００２２】
印刷対象の画像データに画像処理を施し、印刷部で印刷するように制御するためのプログラムであって、
コンピュータを、
前記印刷部内の印刷用紙の搬送路において、搬送方向に対し、搬送される印刷用紙の傾き角度を検出する第１検出手段、
前記第１検出手段で検出された傾き角度に基づいて、印刷対象の画像データとなるベクトルデータの傾き角度を補正する補正手段、
前記補正手段で補正されたベクトルデータを用いて、前記印刷部による印刷を実行させる実行手段、
として機能させる。